(57)【要約】【課題】本発明は隣り合う電柱の腕金に取付けられた高圧電線に鳥がとまるのを確実に阻止して、該部位の糞公害を防止することができる鳥害防止装置を得るにある。【解決手段】隣り合う電柱の高圧電線を取付ける腕金にそれぞれ取付けられた上部が高圧電線の上部に位置する一対の取付け金具と、この一対の取付け金具の上部に両端部が取付けられた、鳥がとまることができない太さの糸と、この糸を所定間隔で前記高圧電線に鳥がとまれない間隔に保つように支持する、該高圧電線に取付けられた多数個の支持具とで鳥害防止装置を構成している。【選択図】  図１
2005118008.tif 000002
【特許請求の範囲】
【請求項１】
隣り合う電柱の高圧電線を取付ける腕金にそれぞれ取付けられた上部が高圧電線の上部に位置する一対の取付け金具と、この一対の取付け金具の上部に両端部が取付けられた、鳥がとまることができない太さの糸と、この糸を所定間隔で前記高圧電線に鳥がとまれない間隔に保つように支持する、該高圧電線に取付けられた多数個の支持具とからなることを特徴とする鳥害防止装置。
【請求項２】
隣り合う電柱の高圧電線を取付ける腕金にそれぞれ取付けられた上部が高圧電線の上部に位置する一対の取付け金具と、この一対の取付け金具の上部に両端部が取付けられた、鳥がとまることができない太さの糸と、この糸を所定間隔で前記高圧電線に鳥がとまれない間隔に保つように支持する下端部に高圧電線に固定状態で取付ける取付部が形成され、上部に高さの異なる2個以上の糸ガイド部が形成された合成樹脂材製の多数個の支持具とからなることを特徴とする鳥害防止装置。
【請求項３】
隣り合う電柱の高圧電線を取付ける腕金にそれぞれ取付けられた上部が高圧電線の近傍に位置する一対の取付け金具と、この一対の取付け金具に両端部が取付けられ、前記高圧電線の外周部に位置するように取付けられた、鳥がとまれないように回動する螺旋状のロープとからなることを特徴とする鳥害防止装置。
【請求項４】
一対の取付け金具は腕金にボルト、ナットで取付けることができる取付け具と、この取付け具に高さ調整可能に取付けられた逆L字状のアームと、このアーム上部に形成された複数個の糸取付孔とで形成されていることを特徴とする請求項１ないし３いずれかに記載の鳥害防止装置。
【発明の詳細な説明】
【技術分野】
【０００１】
本発明は高圧電線に鳥がとまるのを防止する鳥害防止装置に関する。
【背景技術】
【０００２】
従来、糞公害を防止するために、電柱または高圧電線を取付ける腕金に鳥がとまれないように多数個のピンを突出させるように取付けている。
【０００３】
しかしながら、鳥は高圧電線にもとまれるため、該部位の糞公害は防止できないという欠点があった。
【特許文献１】特になし
【発明の開示】
【発明が解決しようとする課題】
【０００４】
本発明は以上のような従来の欠点に鑑み、隣り合う電柱の腕金に取付けられた高圧電線に鳥がとまるのを確実に阻止して、該部位の糞公害を防止することができる鳥害防止装置を提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は隣り合う電柱の高圧電線を取付ける腕金にそれぞれ取付けられた上部が高圧電線の上部に位置する一対の取付け金具と、この一対の取付け金具の上部に両端部が取付けられた、鳥がとまることができない太さの糸と、この糸を所定間隔で前記高圧電線に鳥がとまれない間隔に保つように支持する、該高圧電線に取付けられた多数個の支持具とで鳥害防止装置を      構成している。
【発明の効果】
【０００７】
以上の説明から明らかなように、本発明にあっては次に列挙する効果が得られる。
【０００８】
（１）隣り合う電柱の高圧電線を取付ける腕金に取付けられた一対の取付け金具と、この一対の取付金具に両端部が取付けられた高圧電線の上部に位置する、鳥がとまることができない太さの糸とを用いているので、高圧電線に鳥がとまろうとしても糸がじゃまして、とまるのを阻止することができる。
したがって、電柱間の高圧電線部位の糞公害を確実に防止することができる。
【０００９】
（２）高圧電線の上部に位置する糸は多数個の支持具で高圧電線に支持されているので、位置ずれしたりして高圧電線に鳥がとまれるようになるのを確実に防止できる。
【００１０】
（３）前記（１）、（２）によって、高圧電線の上部に糸を配置するだけであるので、構造が簡単で、容易に設置することができるとともに、見苦しくなるのを防止することができる。
【００１１】
（４）請求項２、３も前記（１）〜（３）と同様な効果が得られる。
【００１２】
（５）請求４は高圧電線と糸との間の寸法を取付け金具によって調整することができる。
したがって、最適寸法で糸を設置することができる。
【発明を実施するための最良の形態】
【００１３】
以下、図面に示す本発明を実施するための最良の形態より、本発明を詳細に説明する。
【００１４】
図１ないし図６に示す本発明を実施するための最良の第１の形態において、１は隣り合う電柱２、２間の高圧電線３、３、３部位の糞公害を防止することができる本発明の鳥害防止装置で、この鳥害防止装置１は隣り合う電柱２、２の高圧電線３、３、３を碍子４、４、４を介して取付ける腕金５、５にそれぞれ取付けられた上部が高圧電線３、３、３の上部に位置する３対の取付け金具６、６、６、６、６、６と、この３対の取付け金具６、６、６、６、６、６の上部に両端部が取付けられた、鳥がとまることができない太さのケプラロープやテグス等の糸７、７、７と、この糸７、７、７を所定間隔で前記高圧電線３、３、３に鳥がとまれない間隔に保つように支持する、該高圧電線３、３、３に取付けられた、鳥がとまることができない大きさの多数個の支持具８とで構成されている。
【００１５】
前記３対の取付け金具６、６、６、６、６、６は図３および図４に示すように、前記腕金５が内部に挿入されるコ字状の固定金具９、この固定金具９の両端部に形成されたボルト挿入孔１０、１０に挿入されるボルト１１、このボルト１１と螺合して前記固定金具９を腕金５に締付け固定させるナット１２とからなる取付け具１３と、この取付け具１３の固定金具９の外側面に溶接等によって固定されたナット１４、このナット１４に螺合するねじ部１５が下端部に形成された、高さ調整可能に取付けられた上部が平板状に形成された逆L字状のアーム１６と、このアーム１６の上部に形成された少なくとも１個以上、本発明の形態では３個の糸取付孔１７、１７、１７と、前記ねじ部１５に必要に応じて螺合され、前記ナット１４を押し圧して前記アーム１６を確実に固定するロックナット１８とで構成されている。
なお、前記アーム１６は上部先端部が上方へ傾斜するように形成したものを用いてもよい。
また、前記アーム１６は絶縁材で形成したものを用いたり、上部寄りの部位を絶縁材でカバーしたものを用いてもよい。
【００１６】
前記支持具８は図５および図６に示すように、合成樹脂材でほぼU字状に形成された支持具本体１９と、この支持具本体１９の両端部と一体形成されたほぼ  Ω  字状の高圧電線３を挟着する挟着部２０、２０、この挟着部２０、２０の遊端部を締付け固定する係止孔２１、この係止孔２１に押し込み挿入することにより係止する係止片２２とからなる取付部２３と、前記支持具本体１９内に高さの異なる部位に一体形成された２個以上、本実施の形態では２個の糸挿入孔２４、２４が形成された糸ガイド部２５、２５とで構成されている。
【００１７】
上記構成の鳥害防止装置１は電柱２、２間の高圧電線３、３、３の上部に所定間隔で間隔を保つ多数個の支持具８で支持された糸７、７、７を配置しているため、鳥が高圧電線３、３、３にとまろうとしても、糸７、７、７がじゃましてとまることができないとともに、糸７、７、７や多数個の支持具８にもとまることができないので、確実に鳥がとまるのを阻止でき、糞公害を防止することができる。
[発明を実施するための異なる形態]
【００１８】
次に、図７ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図７ないし図９に示す本発明を実施するための第２の形態において、前記本発明を実施するための最良の第１の形態と主に異なる点は、取付け具１３の固定金具９にアーム１６を溶接等によって固定的に取付けた３対の取付け金具６Ａ，６Ａ，６Ａ、６Ａ、６Ａ，６Ａと、挟着部２０、２０の一方の遊端部に形成された係止片２６、他方の遊端部に薄肉のヒンジ部２７を介して一体形成された、該係止片２６と係合される係合片２８とからなる取付部２３Aを形成した支持具８Aを用いた点で、このように形成された３対の取付け金具６Ａ，６Ａ，６Ａ、６Ａ、６Ａ，６Ａおよび多数個の支持具８Aを用いて構成した鳥害防止装置１Aにしても、前記本発明を実施するための最良の第１の形態と同様な作用効果が得られる。
【００２０】
図１０ないし図１２に示す本発明を実施するための第３の形態において、前記本発明を実施するための最良の第１の形態と主に異なる点は、３対の取付け金具６、６、６、６、６、６のアーム１６、１６、１６、１６、１６、１６の上部に高圧電線３、３、３の外周部に位置し、鳥がとまれないように回動する螺旋状のロープ２９、２９、２９を取付けた点で、このような螺旋状のロープ２９、２９、２９を用いて構成した鳥害防止装置１Bにしても、前記本発明を実施するための最良の第１の形態と同様な作用効果が得られる。
【００２１】
図１３ないし図１６に示す本発明を実施するための第４の形態において、前記本発明を実施するための第３の形態と主に異なる点は、螺旋状のロープ２９、２９、２９の両端部を３対の取付け金具６、６、６、６、６、６の上部に取付けられたコ字状の支持体３０、この支持体３０の一側面に形成されたねじ孔３１と螺合し、内部に挿入された螺旋状のロープ２９の端部を係止する蝶ボルト３２とからなるロープ固定具３３を取付けた点で、このように構成した鳥害防止装置１Cにしても前記本発明を実施するための第３の形態と同様な作用効果が得られる。
【００２２】
なお、前記本発明を実施するための、第３、第４の形態で使用する３対の取付け金具６、６、６、６、６、６の上部は高圧電線３、３、３の近傍に位置できればよく、必ずしも高圧電線の上部に位置しなくても同様な作用効果が得られる。
【産業上の利用可能性】
【００２３】
本発明は鳥害防止装置を製造する産業、およびこれを設置する産業で利用される。
【図面の簡単な説明】
【００２４】
【図１】本発明を実施するための最良の第１の形態の説明図。
【図２】図１の２−２線に沿う拡大断面図。
【図３】本発明を実施するための最良の第１の形態の取付け金具の正面図。
【図４】本発明を実施するための最良の第１の形態の取付け金具の側面図。
【図５】本発明を実施するための最良の第１の形態の支持具の正面図。
【図６】本発明を実施するための最良の第１の形態の支持具の側面図。
【図７】本発明を実施するための第２の形態の説明図。
【図８】本発明を実施するための第２の形態の取付け金具の説明図。
【図９】本発明を実施するための第２の形態の支持具の説明図。
【図１０】本発明を実施するための第３の形態の説明図。
【図１１】図１０の１１−１１線に沿う拡大断面図。
【図１２】本発明を実施するための第３の形態の螺旋状のロープの説明図。
【図１３】本発明を実施するための第４の形態の説明図。
【図１４】本発明を実施するための第４の形態の取付け金具の正面図。
【図１５】本発明を実施するための第４の形態の取付け金具の平面図。
【図１６】本発明を実施するための第４の形態のロープの取付部の説明図。
【符号の説明】
【００２５】
１、１A、１B、１C：鳥害防止装置、
２：電柱、                ３：高圧電線、
４：碍子、                ５：腕金、
６、６A：取付け金具、     ７：糸、
８、８A：支持具、         ９：固定金具、
１０：ボルト挿入孔、    １１：ボルト、
１２：ナット、          １３：取付け具、
１４：ナット、          １５：ねじ部、
１６：アーム、          １７：糸取付孔、
１８：ロックナット、    １９：支持具本体、
２０：挟着部、          ２１：係止孔、
２２：係止片、          ２３、２３A：取付部、
２４：糸挿入孔、        ２５：糸ガイド部、
２６：係止片、          ２７：ヒンジ部、
２８：係合片、          ２９：螺旋状のロープ、
３０：支持体、          ３１：ねじ孔、
３２：蝶ボルト、        ３３：ロープ固定具。
【図１】
2005118008.tif 000003
【図２】
2005118008.tif 000004
【図３】
2005118008.tif 000005
【図４】
2005118008.tif 000006
【図５】
2005118008.tif 000007
【図６】
2005118008.tif 000008
【図７】
2005118008.tif 000009
【図８】
2005118008.tif 000010
【図９】
2005118008.tif 000011
【図１０】
2005118008.tif 000012
【図１１】
2005118008.tif 000013
【図１２】
2005118008.tif 000014
【図１３】
2005118008.tif 000015
【図１４】
2005118008.tif 000016
【図１５】
2005118008.tif 000017
【図１６】
2005118008.tif 000018